(57)【要約】【課題】折りたたみ椅子としては、前後の足を交差させ、交差部分をピンで連結し、リンク機構やスライド機構が用いられているものにかわり、スムーズに展開および折りたたみ可能な折りたたみ椅子を提供する。【解決手段】載置部３と、該載置部３に接続した第１の脚体４および第２の脚体５を有する折りたたみ椅子において、第１の脚体５は、１対の棒状部材５２と、該棒状部材５２間に渡る当接部５３を備え、第２の脚体４は、前記第１の脚体５の前記棒状部材５２間に配置される１対の棒状部材４１と、前記第２の脚体４の前記棒状部材４１のそれぞれに固定されたフック４２を備え、前記フック４２と、前記当接部５３が係合し、前記第１の脚体５に対して、前記第２の脚体４を固定する。【選択図】図２
2020044309.tif 000002
【特許請求の範囲】
【請求項１】
載置部と、
該載置部に接続した第１の脚体および第２の脚体を有する折りたたみ椅子において、
第１の脚体は、
１対の棒状部材と、該棒状部材間に渡る当接部を備え、
第２の脚体は、
前記第１の脚体の前記棒状部材間に配置される１対の棒状部材と、
前記第２の脚体の前記棒状部材のそれぞれに固定されたフックを備え、
前記フックと、前記当接部が係合し、
前記第１の脚体に対して、前記第２の脚体を固定する
ことを特徴とする折りたたみ椅子。
【請求項２】
前記第２の脚体の下端部に、前記第２の脚体の前記棒状部材と直交し、前記第２の脚体の前記棒状部材を接続するアーチ部材を設け、
該アーチ部材を、前記第１の脚体の前記棒状部材間よりも、長く構成したことを特徴とする請求項１に記載の折りたたみ椅子。
【発明の詳細な説明】
【技術分野】
【０００１】      本発明は、折りたたみ椅子の構造に関する。
【背景技術】
【０００２】  従来、折りたたみ椅子としては、前後の足を交差させ、交差部分をピンで連結しピンを中心として動くものが知られている。また、椅子を座る状態に展開する場合に保つために、リンク機構やスライド機構が用いられている。
【先行技術文献】
【特許文献】
【０００３】
【特許文献１】特開２００２−１４２９０９号公報
【発明の概要】
【発明が解決しようとする課題】
【０００４】従来の折りたたみ椅子は、脚の交差部分をピンで連結して折りたたむ構造であり、リンク機構やスライド機構を有する。このため、交差部分および、リンク機構やスライド機構における抵抗が大きくなる。さらに、交差部分のピンが錆びたり、リンク機構やスライド機構の部分が歪むと、動き難くなる不具合が生じることがある。
この際、大きな力をかけて展開や畳む際に、唐突に動き、指を挟むなどのリスクがある。
【課題を解決するための手段】
【０００５】  本発明に係る折りたたみ椅子は、載置部と、
該載置部に接続した第１の脚体および第２の脚体を有する脚構造において、
第１の脚体は、
１対の棒状部材と、該棒状部材間に渡る当接部を備え、
第２の脚体は、
前記第１の脚体の前記棒状部材間に配置される１対の棒状部材と、
前記第２の脚体の前記棒状部材のそれぞれに固定されたフックを備え、
前記フックと、前記当接部が係合し、
前記第１の脚体に対して、前記第２の脚体を固定する。【０００６】  前記第２の脚体の下端部に、前記第２の脚体の前記棒状部材と直交し、前記第２の脚体の前記棒状部材を接続するアーチ部材を設け、
該アーチ部材を、前記第１の脚体の前記棒状部材間よりも、長く構成する。
【発明の効果】
【０００７】前後の脚が独立して動くため非常にスムーズな展開が可能となる。脚の取付部分に少し曲げ加工などすることで指を挟むなどのリスクも軽減されている。
【図面の簡単な説明】
【０００８】
【図１】  本発明に係る折りたたみイスの展開状態の正面図である。
【図２】  同じく右側面図である。
【図３】  折りたたみ状態を示す右側面図である。
【図４】  座部の後部の構成を示す後面図である。
【発明を実施するための形態】
【０００９】  図１ないし図４は本発明に係る折りたたみ椅子の実施例を示す。
椅子１は、背もたれ２と、座部３と、前脚４と、後脚５から構成される。
背もたれ２は、背板２１と、背板２１と座部３とを接続する２つの支持棒２２から構成される。支持棒２２の上端は、背板２１に固定されており、支持棒２２の下端２２ａは座部３のフレーム３２を挿入されている。
これにより、背もたれ２が座部３に対して、回動可能となっている。
また、図４に示すように、背もたれ２を垂直で止めるために支持棒２２の下端２２ａに取り付けられた棒状部材２２ｂを配置している。
【００１０】  座部３は、座面３１と座面３１を支えるフレーム３２を有する。そして、椅子１を展開した状態で、フレーム３２の前部の下面より下方に伸びるアーム３３が左右に２つ設けられ、アーム３３の間を軸３４により接続している。
フレーム３２は、棒状部材で構成されており、フレーム３２の後部は、支持棒２２の下端および前脚４の上端４４に挿入されている。
なお、アーム３３の間には、後脚５のパイプ５１が軸３４を挿入した状態で、配置される。
【００１１】  前脚４は、座部３のフレーム３２の後部を挿入した筒状の構成した上端４４と、２つの棒状部材４１、棒状部材４１に固定されたフック４２と、２つの棒状部材４１を下端で接続するアーチ４３で構成されている。
棒状部材４１は、椅子１の展開状態において、上部ば屈曲しており、棒状部材４１の下端が前方に向けられている。左右の棒状部材４１は、下端において、アーチ４３に接続され、フレーム３２に対して、一体的に動く。
なお、アーチ４３の左右両端の距離は、後脚５の棒状部材５２間よりも大きく構成されており、棒状部材５２間に挿入されている前脚４が後脚５より抜けることを防止する。
【００１２】  後脚５は、フレーム３２のアーム３３間に回動可能に支持されたパイプ５１と、パイプ５１の左右端にそれぞれ上端が固定された２つの棒状部材５２と、棒状部材５２の中央部において左右の棒状部材５２を接続するビーム５３と、下部において左右の棒状部材５２を接続するビーム５４より構成される。
後脚５において、ビーム５３は、ビーム５４より短く、棒状部材５２は、椅子１の展開状態において、下方に行くほど棒状部材５２間の距離が広くなるように構成されている。
【００１３】  次に、椅子１の展開状態における前脚４と後脚５の固定の構成について説明する。
固定状態において、前脚４のフック４２とビーム５３が係合し、前脚４と後脚５が固定される。
フック４２は、開口部をアーチ４３側に向けて設けている。
これにより、フック４２の開口側、言い換えると下端側より、ビーム５３を挿入することにより、後脚５が前脚４に固定される。
この構成においては、フック４２とビーム５３との係合まで、前脚４と後脚５との接触を回避でき、スムーズな椅子１の展開操作を行うことが出来る。
【００１４】  次に、椅子１の展開時における位置決めの構成について説明する。
図４に示すように、背もたれ２の支持棒２２の下端２２ａはパイプ形状であり、下端２２ａの内側にフレーム３２を挿入し、フレーム３２に対して回動自在に構成されている。そして、下端２２ａの外周面には棒状部材２２ｂが固定されている。
椅子１を展開する際に、背もたれ２を後方に回動させると、背もたれ２が垂直位置にする際に、棒状部材２２ｂが棒状部材４１の後面に当接する。これにより、背もたれ２の後方への回動が規制される。ここにおいて、背もたれ２の背板２１が、回動中心のフレーム３２の後部よりも後方に位置するので、背板２１の自重により背もたれ２の展開状態が維持される。
【００１５】  また、折りたたみ時において、ビーム５４を上方に持ち上げることにより、図３に示すように、前脚４および背もたれ２が下方に向け回動する。そして、この際、前脚４がビーム５３に当接し、ビーム５３を座部３に向けて押さえる。これにより、折りたたみ時に、ビーム５４を持つことにより、椅子１を折りたたみ状態で安定させ、持ち運ぶことができる。
【００１６】  椅子１は、載置部である座部３と、座部３に接続した第１の脚体である後脚５および第２の脚体である前脚４を有する脚構造において、
後脚５は、
１対の棒状部材５２と、該棒状部材５２間に渡る当接部であるビーム５３を備え、
前脚４は、
後脚５の棒状部材５２間に配置される１対の棒状部材４１と、
棒状部材４１のそれぞれに固定されたフック４２を備え、
フック４２と、ビーム５３が係合し、
後脚５に対して、前脚４を固定する。
これにより、簡単な構造で、折りたたみ椅子の脚構造を構成でき、スムーズな椅子１の展開および折りたたみが可能となる。
【００１７】  前脚４の下端部に、棒状部材４１と直交し、棒状部材４２を接続するアーチ４３を設け、
アーチ４３を、後脚５の棒状部材５２間よりも、長く構成する。
これにより、前脚４が後脚５より抜けることがなく、折りたたみおよび展開をスムーズに行うことができる。
【産業上の利用可能性】
【００１６】  本例は折りたたみのイスであるが、テーブル等天板に脚が付くもの全てに適用できる。
【符号の説明】
【００１８】１    椅子
２    背もたれ
３    座部
４    前脚
５    後脚
４２  フック
５３  ビーム
【図１】
2020044309.tif 000003
【図２】
2020044309.tif 000004
【図３】
2020044309.tif 000005
【図４】
2020044309.tif 000006